(57)【要約】  本発明は、内装を製造するためのブランクおよび二次包装のための内装に関し、ブランクは矩形であり、かつ波形形状を備えた材料から構成され、ブランクは、波形形状に平行な少なくとも4つの折り目を有する。本発明はまた、二次包装において縁部が安定している矩形の製品を保持するための内装の使用法に関する。
2021530411.tif 000002
【特許請求の範囲】
【請求項１】
二次包装（30）のための内装（20）を製造するためのブランク（10）であって、前記ブランク（10）が、矩形であり、かつ長さ（L）および幅（B）を有する波形形状（13）を備えた材料から構成され、前記長さ（L）が、第1の軸（x）に沿って前記ブランク（10）の第1の端部（11）から前記ブランク（10）の第2の端部（12）まで延び、前記幅（B）が第2の軸（y）に沿って延び、前記波形形状（13）が前記第2の軸（y）に沿って広がり、前記ブランク（10）が、前記第2の軸（y）に平行な少なくとも4つの折り目（14a、14c）を有する、ブランク（10）。
【請求項２】
前記ブランク（10）が7つまたは10の平行な折り目（14a、14b、14c、14d）を有することを特徴とする、請求項1に記載のブランク（10）。
【請求項３】
前記ブランク（10）の前記第1の端部（11）および前記第2の端部（12）からの2つの外側の折り目（14a）の間隔が、最も近い折り目（14c）からの前記2つの外側の折り目（14a）の間隔よりも小さいことを特徴とする、請求項1または2に記載のブランク（10）。
【請求項４】
2つの外側の折り目（14a）が前記ブランク（10）の幅B全体にわたって延びておらず、前記ブランク（10）が、外側の折り目（14a）の2つの端部とそれぞれに最も近い折り目（14c）との間に、前記ブランク（10）の長手方向に2つの切れ込みまたはミシン目を有することを特徴とする、請求項1から3のいずれか一項に記載のブランク（10）。
【請求項５】
前記ブランク（10）が7つの折り目（14a、14b、14c、14d）を有し、中央の折り目（14b）に隣接する2つの折り目（14d）からの前記中央の折り目（14b）の間隔が、側壁（16）が間に形成される折り目（14a、14c）間の間隔よりも最大50％小さいことを特徴とする、請求項1から4のいずれか一項に記載のブランク（10）。
【請求項６】
前記ブランク（10）の前記第1の端部（11）および前記ブランク（10）の前記第2の端部（12）の縁部が波形にされることを特徴とする、請求項1から5のいずれか一項に記載のブランク（10）。
【請求項７】
前記ブランク（10）が、波形形状を備えたプラスチックまたは紙または段ボール紙から構成されることを特徴とする、請求項1から6のいずれか一項に記載のブランク（10）。
【請求項８】
前記プラスチックが、ポリスチレン、発泡体、または気泡シートであることを特徴とする、請求項7に記載のブランク（10）。
【請求項９】
前記段ボール紙が、40g／m2〜200g／m2の範囲、好ましくは60g／m2〜150g／m2の範囲、特に好ましくは80g／m2〜120g／m2の範囲にある材料強度、およびCフルート、Dフルート、Eフルート、またはFフルートの範囲にある段のサイズを有する片面段ボール紙であることを特徴とする、請求項7に記載のブランク（10）。
【請求項１０】
前記紙が気泡緩衝材付きの紙であることを特徴とする、請求項7に記載のブランク（10）。
【請求項１１】
外側の折り目（14a）に隣接する面が互いに対して5度〜90度の範囲にある角度を形成するように、前記外側の折り目（14a）において折り畳まれる、または曲げられる、請求項1から10のいずれか一項に記載のブランク（10）を有する二次包装のための内装（20）。
【請求項１２】
外側から2番目および3番目の折り目（14c、14d）に隣接する面がそれぞれ互いに対して略垂直な角度になってU字形形状を形成するように、前記折り目（14c、14d）において折り畳まれている、請求項10に記載の内装（20）。
【請求項１３】
前記ブランク（10）が、7つの折り目を有するブランク（10）の場合には中央の折り目（14b）において、10の折り目を有するブランク（10）の場合には外側から4番目および7番目の折り目において、これらの折り目（14b）に対して置かれる面が互いに対して平行になって中央壁（18）を形成するように、折り畳まれる、または曲げられる、請求項10または11に記載の内装（20）。
【請求項１４】
前記二次包装（30）が長さMおよび幅Cを有する矩形の底部領域を有し、前記ブランクの幅Bが前記長さMまたは前記幅Cのいずれも超えないことを特徴とする、請求項11から13のいずれか一項に記載の内装（20）。
【請求項１５】
二次包装（30）において縁部が安定している矩形の製品（40）を保持するための、請求項11から14のいずれか一項に記載の内装（20）の使用法。
【請求項１６】
前記縁部が安定している矩形の製品（40）が、小袋、ブリスターパック、四方シールパウチ、またはチューブ型パウチである、請求項15に記載の内装（20）の使用法。
【請求項１７】
請求項11から13のいずれか一項に記載の内装（20）と、請求項14に記載の二次包装（30）とから構成される、包装システム。
【請求項１８】
前記二次包装（30）が折り畳み箱である、請求項17に記載の包装システム。
【請求項１９】
前記包装システムが、事前に定められた位置において前記内装（20）によって保持される複数の縁部が安定している矩形の製品（40）も有する、請求項17または18に記載の包装システム。
【請求項２０】
前記縁部が安定している矩形の製品（40）が、小袋、ブリスターパック、四方シールパウチ、またはチューブ型パウチである、請求項19に記載の包装システム。
【発明の詳細な説明】
【技術分野】
【０００１】
本発明は、縁部が安定している矩形の製品を保持するための矩形の底部領域を備えた二次包装のための内装に関する。
【背景技術】
【０００２】
特許文献１には、段ボール紙でも作ることができ、製品を封入するために、つまり中仕切りとして知られているものを製造するためにも使用され得る、単一の部分から構成されるブランクが開示されている。ここで関係するのは、ボトルなどの製品への衝撃をすべての面において和らげ、製品が衝撃に耐えるように包装することである。この目的のために、ブランクには接着タブと接着面とが設けられる。
【０００３】
特許文献２には、対応するように折り曲げられたときに、製品を保持するのに役立つことを意図された単一の部分から構成されるブランクが開示されている。製品の位置は、ブランクにおける打ち抜き部分によって事前に定められる。打ち抜き部分の数によって、保持される製品の最大数が決まる。
【先行技術文献】
【特許文献】
【０００４】
【特許文献１】独国実用新案第29910815号明細書
【特許文献２】特開2008−081147号公報
【発明の概要】
【発明が解決しようとする課題】
【０００５】
一次包装に包装された複数の製品、特に医薬品部門の製品のための輸送時に安定な二次包装を開発することを目的とする。ここでは、矩形の底部領域を備えた二次包装、例えば標準的な折り畳み箱構造が二次包装であり、縁部が安定している矩形の製品が一次包装に包装された製品であると仮定する。一次包装に包装された製品を、滑りやその結果生じる可能性のある損傷から安定して守るために、内装が必要とされる。内装は、一次包装に包装された製品を保持および保護する目的に適すること、さらに取り外しが容易で簡単に製造できること、ならびに二次包装のサイズおよび数のわずかな変動に柔軟に適応することが意図されている。
【課題を解決するための手段】
【０００６】
内装の重要な構成部分は、波形形状を備えた材料から構成される矩形のブランクである。ブランクは、波形形状に平行な幅B、および波形形状に直角な、つまり波形形状における一定の位置に実質的に沿った長さLを有する。ブランクは、波形形状に平行な少なくとも4つの折り目を有する。内装を取り付けるために、ブランクを折り目において曲げて、2つの内側の折り目の間の面が底部を形成し、それぞれに隣接する面が、底部に略垂直に配置された側面を形成し、結果としてU字形構造が生じるようにする。ブランクの外側の折り目の外側に配置される面、すなわちクランプ面は、両方ともU字形構造の内側の方向に曲げられるか、両方ともU字形構造の外側の方向に曲げられるかのいずれかである。クランプ面とU字形構造の側面との間の角度は、内側か外側かに関係なく、5度〜90度の範囲で変化する。このように折り目で折り畳まれたり曲げられたりしたブランクが内装を形成する。
【０００７】
それぞれの側壁に対して5度〜90度、好ましくは5度〜70度、特に好ましくは5度〜30度の範囲にある角度で外側に曲げられる外面は、内装が二次包装に挿入されているとき、二次包装の壁に対して内装の略垂直な側壁を弾力的に支持する働きをするクランプ機構として機能する。内装の波形形状に垂直に挿入され、内装の底部の幅および／または側壁間の間隔に実質的に対応する幅を有する、縁部が安定している矩形の製品はクランプ機構に対して反力をもたらし、その結果、内装の側壁が二次包装において両側で安定化される。
【０００８】
あるいは、外面は、それぞれの側壁に対して5度〜90度、好ましくは5度〜45度、特に好ましくは5度〜15度の範囲にある角度で内側に曲げられる。外面は、内装が二次包装に挿入されているとき、縁部が安定している矩形の製品と共同して、二次包装の壁に対して内装の略垂直な側壁を弾力的に押す働きをするクランプ機構として機能する。この目的のために、内装の底部の幅および／または側壁間の間隔に実質的に対応する幅を有する、縁部が安定している矩形の製品は、内装の波形形状に垂直に挿入される必要がある。内側に曲げられた外面は、製品に対して弾力的に支持され、側壁を外側に二次包装の壁に対して押す。このことは、内装の側壁を底部に対して正確に垂直に向けるのではなく、底部と側壁との間の角度を90度を超えて数度、例えば最大95度まで拡大させるという効果を与え得る。本実施形態では、存在する波形形状に加えて、縁部が安定している矩形の製品と接触するブランクの端部にある縁部も波形であり、ブランクの波形形状と同様の、好ましくは同じ波形の長さを有するときに、縁部が安定している矩形の製品は内装に特に安定して取り付けられる。よって、縁部が安定している矩形の製品は、波形トラフによって事前に定められた特定の位置にある第3の側でも固定される。あるいは、ブランクの端部にある縁部はまた、好ましくは波形形状における波形トラフ間の間隔に対応する間隔でスロットを備え得る。縁部が安定している矩形の製品は、スロットに係合することができるため、事前に定められた位置にさらに固定され得る。
【０００９】
ブランクの縁部からの2つの外側の折り目の間隔は、側壁が間に形成される折り目間の間隔よりも小さいため、クランプ機構は効果的かつ省スペースで挿入され得る。
【００１０】
代替的な実施形態では、ブランクの2つの外側の折り目は、ブランクの幅B全体にわたってではなく、ブランクの幅Bの中央部分領域のみにわたって延びる。加えて、ブランクは、外側の折り目の端部とそれぞれに最も近い折り目との間に、ブランクの長手方向に切れ込みまたはミシン目を有する。本実施形態では、曲げ／折り畳み後の内装の側壁は、ブランクの第1の端部または第2の端部と、ブランクのそれぞれの端部から2番目の折り目との間に形成される。クランプ機構の面は、側壁に窓のように配置され、U字形構造の内部または外部に向かって折り畳まれ得る。縁部が安定している矩形の製品と二次包装の壁との間において内装の側壁を安定化する機能は、上記の実施形態と同じである。
【００１１】
1つまたは複数の縁部が安定している矩形の製品が底部と側壁との間にある内装のU字形領域に挿入され得る。好都合なことに、内装は、1つまたは複数の縁部が安定している矩形の製品を受け入れるために互いに隣接する複数のU字形領域を有する。この目的のために、折り畳まれて内装となるブランクは、例えば、互いに隣接する2つのU字形領域については7つの折り目、または互いに隣接する3つのU字形領域については10の折り目を有する。いずれの場合も、対応する互いからの間隔を有するさらなる3つの折り目と、ブランクの既存の折り目とを使用して、内装をU字形領域の周りにそれぞれ拡大できる。
【００１２】
7つの折り目および／または隣り合う2つのU字形領域から、ブランクの一端から4番目（6番目、10番目…）の折り目を使用して、ブランクのこれらの折り目で180度の曲げを行うことによって中央壁が形成される。よって、これらの折り畳み縁部／曲げ縁部に対して置かれる面は互いに平行になり、その結果、二重層の中央壁が生じる。この中央壁の高さは、4番目（7番目、10番目…）の折り目に最も近い2つの折り目の間の間隔に応じて変わる。この間隔は、側壁が間に形成されるそれぞれの2つの最も外側の折り目の間隔の50％〜100％の範囲にあるべきである。
【００１３】
折り目は、ブランクのスコアリング、溝入れ、またはミシン目加工によって生成される。折り目において、ブランクは、曲げられた縁部が形成され、折り目に隣接するブランク領域が互いに対して新しい事前に定められた角度になるように（機械的に）折り畳まれ、または（手動で）曲げられる。
【００１４】
曲げられたり折り畳まれたりして内装となるブランクの材料としては、波形形状を備えたプラスチックまたは紙または段ボール紙が考えられる。波形形状は、縁部が安定している矩形の製品を内装に垂直に保持できるようにするため、重要である。この目的のために、個々の縁部が安定している矩形の製品は、縁部が3つの側で波形形状の波形トラフと接触するようにU字形領域に配置される。よって、縁部が安定している矩形の製品間の最小間隔は、波形形状の構成によって事前に定められる。
【００１５】
輸送中や個別に取り外した場合でも縁部が安定している矩形の製品を安定に保つために、内装は上記のクランプ機構を有する。外側の曲げ縁部における復元力と材料強度とにより、縁部が安定している矩形の製品を所望の位置に維持するために必要な張力がもたらされる。
【００１６】
例えば、ポリスチレン、発泡体、または気泡シートが波形形状を備えたプラスチックとして使用され得る。
【００１７】
40g／m2〜200g／m2の範囲、好ましくは60g／m2〜150g／m2の範囲、特に好ましくは80g／m2〜120g／m2の範囲にある材料強度、およびDIN 55468−1：2015−06に準拠したFフルート〜Cフルートの範囲にある段のサイズまたは段の種類を有する片面段ボール紙が段ボール紙として使用され得る。
【００１８】
気泡緩衝材付きの紙が、波形形状を備えた紙として使用され得る。
【００１９】
内装は、第1の寸法がブランクBの幅以上である矩形の底部領域を有する二次包装での使用に適している。底部領域の第2の寸法に関して、第2の寸法における二次包装の底部領域のサイズが、内装の底部領域の長手方向の大きさの和から得られる長さよりも大きく、かつ内装の底部領域の長手方向の大きさとクランプ機構を形成する外面の長手方向の大きさとの和から得られる長さよりも小さくなるように、内装と二次包装とは互いに一致するべきである。このようにしてようやく、縁部が安定している矩形の製品を入れている内装が二次包装に安定して取り付けられることが確保され得る。
【００２０】
縁部が安定している矩形の製品は、例えば、小袋、ブリスターパック、四方シールパウチ、またはチューブ型パウチである。
【００２１】
矩形の底部領域を有する二次包装は、木、プラスチック、金属、または段ボール紙の箱、特に折り畳み箱であり得る。
【００２２】
本発明による内装は、矩形の底部領域を有する二次包装内に、縁部が安定している矩形の製品を安定して配置することを可能にする。本発明による内装は、取り外しが容易であり、簡単に製造でき、一定の制限内で、二次包装のサイズに柔軟に適合させることができる。
【００２３】
本発明の例示的な実施形態は、図面に例示され、以下でより詳細に説明される。
【図面の簡単な説明】
【００２４】
【図１】2つのU字形領域を備えた内装のためのブランクを示す図である。
【図２】側壁の上部に位置する外側に曲げられた外面の形態のクランプ機構を有する、2つのU字形領域を備えた内装の第1の実施形態の斜視図および正面図である。
【図３】側壁の上部に位置する内側に曲げられた外面の形態のクランプ機構を有する、2つのU字形領域を備えた内装の第1の実施形態の変形形態の斜視図および正面図である。
【図４】側壁の内側に位置する外側に曲げられた外面の形態のクランプ機構を備えた内装の第2の実施形態の斜視図および正面図である。
【図５】製品を入れている二次包装における2つのU字形領域を備えた内装の第1の実施形態の正面図である。
【図６】製品を入れている二次包装における2つのU字形領域を備えた内装の第1の実施形態の斜視図である。
【図７】製品を入れている二次包装における2つのU字形領域を備えた内装の第1の実施形態の変形形態の正面図である。
【図８】製品を入れている二次包装における2つのU字形領域を備えた内装の第1の実施形態の変形形態の斜視図である。
【図９】DIN 55468−1：2015−06に準拠した段のサイズおよび段の種類を示す表である。
【発明を実施するための形態】
【００２５】
図1は、2つのU字形領域を備えた内装20のための矩形のブランク10を示している。ブランク10は、波形形状13に平行な幅B、および波形形状に直角な、すなわち波形形状にける一定の位置に沿った長さLを有する。長さLは、第1の軸xに沿ってブランク10の第1の端部11からブランク10の第2の端部12まで延びる。幅Bは、第1の軸xに垂直な第2の軸yに沿って延びる。図1に示すブランク10の実施形態は、第2の軸yに平行な7つの折り目14a、14b、14c、14dを有する。ブランク10の第1および第2の端部（11、12）からの2つの外側の折り目14aの間隔は、折り目14cと折り目14aとの間の間隔よりも小さい。
【００２６】
内装20を取り付けるために、ブランク10を折り目14cおよび14dにおいて90度曲げて、2つの内側の折り目14cおよび14dの間の面がそれぞれ底部15を形成し、それぞれに隣接する面が、底部15に略垂直に配置された側壁16および／または中央壁18を形成し（図2〜図4を参照）、結果として互いに隣接する2つのU字形構造が生じるようにする。ブランク10の外側の折り目14aの外側に配置される面、すなわちクランプ面17は、両方ともU字形構造の内側の方向に曲げられるか（図3）、両方ともU字形構造の外側の方向に曲げられるか（図2）のいずれかである。
【００２７】
図2のU字形構造の外側の方向に曲げられたクランプ面17の場合、クランプ面17とU字形構造の側壁16との間の角度αは、約60度である。
【００２８】
図3のU字形構造の内側の方向に曲げられたクランプ面17の場合、クランプ面17とU字形構造の側壁16との間の角度βは、約35度である。
【００２９】
図3の内側に曲げられたクランプ面17の場合、斜視図では、クランプ面17の外側の端部11、12における波形の縁部を明瞭に見ることができる。波形の縁部は、縁部が安定している矩形の製品40をさらに固定することができる。
【００３０】
図4に示す内装20の代替的な実施形態では、ブランクの2つの外側の折り目14aは、ブランク10の幅B全体にわたってではなく、ブランク10の幅Bの中央部分領域のみにわたって延びる。加えて、ブランク10は、外側の折り目14aの端部とそれぞれに最も近い折り目14cとの間に、ブランク10の長手方向に切れ込みまたはミシン目を有する。本実施形態では、曲げ／折り畳み後の内装20の側壁16は、ブランク10の第1の端部11または第2の端部12と、ブランク10のそれぞれの端部11、12から2番目の折り目14cとの間において形成されている。クランプ機構17の面は、側壁16に窓のように配置され、U字形構造の外側に向かって折り畳まれ得る。
【００３１】
図5は正面図で、図6は斜視図で、二次包装30内に配置された2つのU字形領域を備えた内装20を示している。各U字形領域には、縁部が安定している矩形の製品40が挿入されている。縁部が安定している矩形の製品40は、内装20内において波形形状13に垂直にブランク10の波形トラフに挿入される。縁部が安定している矩形の製品40は、内装20の底部15の幅および／または側壁16と中央壁18との間の間隔に略対応する幅を有する。縁部が安定している矩形の製品40は外側に曲げられたクランプ機構17に対して反力をもたらし、その結果、内装20の側壁16が二次包装30において両側から安定化される。2つの中央壁18はまた、縁部が安定している矩形の製品40によって定位置に保持される。二次包装30の長さは2つの底部15の長さよりわずかに長いため、二次包装30の壁とクランプ機構17との間の圧力は、クランプ機構17が内装20の側壁と極めて小さい角度を形成するのに十分強い。二次包装30の壁とクランプ機構17との間の圧力により、内装20が二次包装30内でより滑りにくくなる。
【００３２】
折り目14bにおいて形成されている中央壁18の上縁には、ブランクの幅にわたって延びる波形形状13がはっきりと分かる。
【００３３】
図7は正面図で、図8は斜視図で、二次包装30内に配置された2つのU字形領域を備えた内装20を示している。図5および図6の例のように、各U字形領域には、縁部が安定している矩形の製品40が挿入されている。ここでは内側に曲げられているクランプ機構17は、縁部が安定している矩形の製品40に対して弾力的に支持され、側壁16を二次包装30の壁に対して外側に押す。結果として、内装20の側壁16は、もはや底部15に対して正確に垂直に向けられておらず、むしろ二次包装30の壁に対して外側に数度傾斜している。内装20と二次包装30との間の摩擦によって、内装20は二次包装30においてより滑りにくくなる。
【００３４】
図5〜図8の内装には、材料強度が90g／m2であり、Eフルートの段ボール紙が使用されている。本発明による内装には、Cフルート、Dフルート、Eフルート、またはFフルートの範囲にある段のサイズを有する段ボール紙が特に適している。これらの段のサイズの寸法は、DIN55468−1：2015−06で定義されている。対応する概要を図9に示す。
【符号の説明】
【００３５】
10  ブランク
11  第1の端部
12  第2の端部
13  波形形状
14a  外側の折り目
14b  中央の折り目
14c  折り目
14d  折り目
15  底部
16  側壁
17  クランプ面
18  中央壁
20  内装
30  二次包装
40  縁部が安定している矩形の製品
L  ブランクの長さ
B  ブランクの幅
x  第1の軸
y  第2の軸
α  外側におけるクランプ面と側壁との間の角度
β  内側におけるクランプ面と側壁との間の角度
【図１】
2021530411.tif 000003
【図２】
2021530411.tif 000004
【図３】
2021530411.tif 000005
【図４】
2021530411.tif 000006
【図５】
2021530411.tif 000007
【図６】
2021530411.tif 000008
【図７】
2021530411.tif 000009
【図８】
2021530411.tif 000010
【図９】
2021530411.tif 000011
【国際調査報告】
2021530411.tif 000012
2021530411.tif 000013
2021530411.tif 000014
2021530411.tif 000015